(57)【特許請求の範囲】
【請求項１】
太陽の放射熱を吸熱する為に、フィンを複数枚並設させて、該フィンの一番広い面を蛇行状に貫通縦断している伝熱管と該伝熱管の内部に水を送水するための水入口及び水出口とで構成されている熱交換器コイルを、室外機の吹き出し口前面から該室外機天井面上まで、上面が前方斜め上方へ向くように傾斜させて設け、該室外機の吹き出し口前面及び該室外機天井面上に別々に該熱交換器コイルを設け、該室外機の日除けをし、かつ、空気調和機の冷房運転時、該吹き出し口から放出される熱風の熱，外気の熱及び太陽の放射熱を、該熱交換器コイルの伝熱管内に流す水に熱回収させたことを特徴とする空気調和機。
【請求項２】
太陽の放射熱を吸熱する為に、フィンを複数枚並設させて、該フィンの一番広い面を蛇行状に貫通縦断している伝熱管と該伝熱管の内部に水を送水するための水入口及び水出口とで構成されている熱交換器コイルを、室外機の吹き出し口前面から該室外機天井面上まで、上面が前方斜め上方へ向くように傾斜させて設け、該室外機の日除けをし、かつ、空気調和機の冷房運転時、該吹き出し口から放出される熱風の熱，外気の熱及び太陽の放射熱を、該熱交換器コイルの伝熱管内に流す水に熱回収させたことを特徴とする空気調和機。
【請求項３】
前記熱交換器コイルが水平面に対しての傾斜の角度は、１５度から６０度であることを特徴とする請求項１又は２に記載の空気調和機。
【請求項４】
前記熱交換器コイルのフィンは長方形であり、長方形のフィンの最短辺の２辺の内の一辺、又は長方形のフィンの４つの角の内の一つの角が最も下に来る様に斜めに立てた状態に支持して、長方形のフィンの最長辺の２辺の内の一辺であるフィンの厚み側だけが該室外機前面の吹き出し口側カバー及び該室外機天井面と対面し、水平面又は水平の室外機天井面が長方形のフィン及び長方形のフィンの最長辺に対しての傾斜角度は、１５度から６０度であり、長方形のフィンの最短辺が水平面に対しての傾斜角度は、３０度から７５度であることを特徴とする請求項３に記載の空気調和機。
【請求項５】
水平のベース上に、前記室外機を垂直に配置し、該室外機の吹き出し口前面から該室外機天井面上まで、前記熱交換器コイルが該ベースに対しての傾斜角度は、１５度から６０度に該ベース上に配置することにより、該熱交換器コイルの長方形のフィンの最長辺が該室外機前面の吹き出し口側のカバーに対して、３０度から７５度であることを特徴とする請求項４に記載の空気調和機。
【請求項６】
前記空気調和機運転停止時に、前記室外機の吹き出し口前面の前記熱交換器コイルに外気を送風する為に、前記室外機のファンモーターを単独に駆動する回路を設けたことを特徴とする請求項５に記載の空気調和機。
【請求項７】
前記室外機及び傾斜している前記熱交換器コイルを前記ベース上に設けて、前記吹き出し口から放出される熱風が、漏れずに該熱交換器コイルだけを通過する様に、該室外機，該熱交換器コイル及び該ベースの左右の側面を板で覆ったことを特徴とする請求項６に記載の空気調和機。
【請求項８】
前記室外機の天井面上に傾斜させて設けた前記熱交換器コイルのフィン及び伝熱管全面に外気を接触して通過させて熱回収する為に、該熱交換器コイル下方の室外機天井面近傍に吸気のプロペラファン又はクロスフローファンを設け、熱回収後の冷却した外気を室外機熱交換器のフィン及び冷媒配管全面に吹き付けたことを特徴とする請求項７に記載の空気調和機。
【請求項９】
前記プロペラファン又は前記クロスフローファンから吸気する外気が、漏れずに前記室外機の天井面上に傾斜させて設けた前記熱交換器コイルだけを通過する様に、該室外機及び該熱交換器コイルの左右の側面及び該熱交換器コイルの背面を板で覆って囲み、該熱交換器コイルの伝熱管内に流す水に熱回収させて、熱回収後の冷却した外気を、室外機熱交換器のアルミニウムフィン及び冷媒配管の全面に、該プロペラファン又は該クロスフローファンにより吹き付けたことを特徴とする請求項８に記載の空気調和機。
【請求項１０】
前記室外機熱交換器のアルミニウムフィン及び冷媒配管の全面に、風呂の残り湯又は冷めた風呂の残り湯を散水するシャワーを設け、該シャワーの水入口配管に電磁弁を設けたことを特徴とする請求項９に記載の空気調和機。
【請求項１１】
前記熱交換器コイル及び前記シャワーに、水又は風呂の残り湯を選択的に流す為に、前記室外機と浴槽の間に往復する配管を設け、該浴槽から該室外機へ送水する為の往路配管の先端に、給水バルブ又は該浴槽に揚水ポンプを設け、かつ、該熱交換器コイルの水出口から該浴槽へ水又はお湯を戻すための復路配管を、該室外機から該浴槽の間に設けたことを特徴とする請求項１０に記載の空気調和機。
【請求項１２】
前記熱交換器コイルの水出口から貯湯タンク及びプールへ送水する為の配管を設けたことを特徴とする請求項１１に記載の空気調和機。
【請求項１３】
前記室外機の吹き出し口前面及び該室外機天井面上の熱交換器コイルのフィン及び伝熱管を、黒色にしたことを特徴とする請求項１２に記載の空気調和機。
【発明の詳細な説明】
【技術分野】
【０００１】
本発明は、地球温暖化の原因となっている大気への熱負荷を軽減すると共に、光熱費の削減及び効率の良い冷暖房運転をすることを図った空気調和機に関するものである。        
【背景技術】
【０００２】
空気調和機は、室内に設置され、内部の熱交換器で冷媒と室内の空気との間で熱交換を行う室内機と、室内機と冷媒管を介して接続され、室内機で熱交換を行った冷媒と外気との熱交換を行う室外機とを備えている。そのような従来の空気調和機の室外機は、冷房運転において、冷媒と熱交換して温度上昇した空気を吹き出し口から放出させるようにしている。また、太陽の放射熱を遮るために、空気調和機の室外機天井面上に日除け屋根を設けていた。さらに、室外機の熱交換器のフィン及び冷媒配管の霜取り，洗浄及び冷却する装置がありませんでした。
【０００３】
【特許文献１】特開１９９９−１５９８０９号公報
【発明の概要】
【発明が解決しようとする課題】
【０００４】
しかしながら、そのようにして室外機内から放出される熱風は、大気への熱負荷となって環境上の問題となるだけでなく、熱風が持っている熱エネルギーを利用せずに無駄に捨てていると共に、暖かい外気及び太陽の放射熱の自然エネルギーも有効利用できていなという問題点もあった。また、風呂の残り湯の熱エネルギー及び冷めた風呂の残り湯の冷却エネルギーも有効利用できていなかった。
さらに、室外機の熱交換器のアルミニウムフィン及び冷媒配管の冷却，霜取り及び洗浄する装置を設ける。
【０００５】
本発明は、そのような問題点に鑑み、次のことを目的とするものである。
（イ）冷房運転において、室外機の吹き出し口から放出される熱風の熱エネルギー及び太陽の放射熱の熱エネルギーを有効利用すると共に、効率の良い冷房運転をする。
（ロ）暖房運転において、風呂の残り湯の熱エネルギーを有効利用して、霜取りをすると共に、効率の良い暖房運転をすると共に、室外機の熱交換器のフィン及び冷媒配管に付着したほこり等を洗浄する。                                                                
（ハ）冷房運転において、冷めた風呂の残り湯の冷却エネルギーを有効利用して、効率の良い冷房運転をすると共に、室外機の熱交換器のフィン及び冷媒配管を洗浄する。
（二）室外機に日除けを設けて、効率の良い冷房運転すると同時に、太陽の放射熱の熱エネルギーを有効利用する
（ホ）熱交換器コイルに熱い外気を吹きつけて、自然の熱エネルギーを有効利用する。
（ヘ）熱交換器のアルミニウムフィン及び冷媒配管に、水により熱回収後の冷却した外気を吹き付けて、効率の良い冷房運転をする。
【課題を解決するための手段】
【０００６】
前記課題を解決するため、本願請求項１にかかる発明は、太陽の放射熱を吸熱する為に、フィンを複数枚並設させて、該フィンの一番広い面を蛇行状に貫通縦断している伝熱管と該伝熱管の内部に水を送水するための水入口及び水出口とで構成されている熱交換器コイルを、室外機の吹き出し口前面から該室外機天井面上まで、上面が前方斜め上方へ向くように傾斜させて設け、該室外機の吹き出し口前面及び該室外機天井面上に別々に熱交換器コイルを設け、該室外機の日除けをし、かつ、空気調和機の冷房運転時、該吹き出し口から放出される熱風の熱，外気の熱及び太陽の放射熱を、該熱交換器コイルの伝熱管内に流す水に熱回収させるようにしたことを特徴とする。
【０００７】
また、本願の請求項２にかかる発明は、太陽の放射熱を吸熱する為に、フィンを複数枚並設させて、該フィンの一番広い面を蛇行状に貫通縦断している伝熱管と該伝熱管の内部に水を送水するための水入口及び水出口とで構成されている熱交換器コイルを、室外機の吹き出し口前面から該室外機天井面上まで、上面が前方斜め上方へ向くように傾斜させて設け、該室外機の日除けをし、かつ、空気調和機の冷房運転時、該吹き出し口から放出される熱風の熱，外気の熱及び太陽の放射熱を、該熱交換器コイルの伝熱管内に流す水に熱回収させるようにしたことを特徴とする。
【０００８】
また、本願の請求項３にかかる発明は、請求項1又は２にかかる発明において、前記熱交換器コイルが水平面に対しての傾斜の角度は、１５度から６０度であることを特徴とする。
【０００９】
また、本願の請求項４にかかる発明は、請求項３にかかる発明において、前記熱交換器コイルのフィンは長方形であり、長方形のフィンの最短辺の２辺の内の一辺、又は長方形のフィンの４つの角の内の一つの角が最も下に来る様に斜めに立てた状態に支持して、長方形のフィンの最長辺の２辺の内の一辺であるフィンの厚み側だけが該室外機前面の吹き出し口側カバー及び該室外機天井面と対面し、水平面又は水平の室外機天井面が長方形のフィン及び長方形のフィンの最長辺に対しての傾斜角度は、１５度から６０度であり、長方形のフィンの最短辺が水平面に対しての傾斜角度は、３０度から７５度であることを特徴とする。
【００１０】
また、本願の請求項５にかかる発明は、請求項４にかかる発明において、水平のベース上に、前記室外機を垂直に配置し、該室外機の吹き出し口前面から該室外機天井面上まで、前記熱交換器コイルが該ベースに対しての傾斜角度は、１５度から６０度に該ベース上に配置することにより、該熱交換器コイルの長方形のフィンの最長辺が該室外機前面の吹き出し口側のカバーに対して、３０度から７５度であることを特徴とする。
【００１１】
また、本願の請求項６にかかる発明は、請求項５にかかる発明において、前記空気調和機運転停止時に、前記室外機の吹き出し口前面の前記熱交換器コイルに外気を送風する為に、前記室外機のファンモーターを単独に駆動する回路を設けたことを特徴とする。
【００１２】
また、本願の請求項７にかかる発明は、請求項６にかかる発明において、前記室外機及び傾斜している前記熱交換器コイルを前記ベース上に設けて、前記吹き出し口から放出される熱風が、漏れずに該熱交換器コイルだけを通過する様に、該室外機，該熱交換器コイル及び該ベースの左右の側面を板で覆ったことを特徴とする。                                                        
【００１３】
また、本願の請求項８にかかる発明は、請求項７にかかる発明において、前記室外機の天井面上に傾斜させて設けた前記熱交換器コイルのフィン及び伝熱管全面に外気を接触して通過させて熱回収する為に、該熱交換器コイル下方の室外機天井面近傍に吸気のプロペラファン又はクロスフローファンを設け、熱回収後の冷却した外気を室外機熱交換器のフィン及び冷媒配管全面に吹き付けたことを特徴とする。
【００１４】
また、請求項９にかかる発明において、前記プロペラファン又は前記クロスフローファンから吸気する外気が、漏れずに室外機の天井面上に傾斜させて設けた前記熱交換器コイルだけを通過する様に、該室外機及び該熱交換器コイルの左右の側面及び該熱交換器コイルの背面を板で覆って囲み、該熱交換器コイルの伝熱管内に流す水に熱回収させて、熱回収後の冷却した外気を、前記室外機熱交換器のアルミニウムフィン及び冷媒配管の全面に、該プロペラファン又は該クロスフローファンにより吹き付けたことを特徴とする。  
【００１５】
また、請求項１０にかかる発明においては、請求項９にかかる空気調和機において、前記室外機熱交換器のアルミニウムフィン及び冷媒配管の全面に、風呂の残り湯又は冷めた風呂の残り湯を散水するシャワーを設け、該シャワーの水入口配管に電磁弁を設けたことを特徴とする。
【００１６】
また、請求項１１にかかる発明においては、請求項１０にかかる空気調和機において、前記熱交換器コイル及び前記シャワーに、水又は風呂の残り湯を選択的に流す為に、前記室外機と浴槽の間に往復する配管を設け、該浴槽から該室外機へ送水する為の往路配管の先端に、給水バルブ又は浴槽に揚水ポンプを設け、かつ、該熱交換器コイルの水出口から該浴槽へ水又はお湯を戻すための復路配管を、該室外機から該浴槽の間に設けたことを特徴とする。
【００１７】
また、請求項１２にかかる発明においては、請求項１１にかかる空気調和機において、前記熱交換器コイルの水出口から貯湯タンク及びプールへ送水する為の配管を設けたことを特徴とする。
【００１８】
また、請求項１３にかかる発明においては、請求項１２にかかる空気調和機において前記室外機の前面及び該室外機天井面上の熱交換器コイルのフィン及び伝熱管を、黒色にしたことを特徴とする請求項１２に記載の空気調和機。                                                                                                                
【発明の効果】
【００１９】
本発明の空気調和機は、次のような効果を奏する。
すなわち、請求項１にかかる発明においては、太陽の放射熱を吸熱する為に、フィンを縦方向に複数枚並設させて、該フィンに蛇行状に貫通縦断している伝熱管と該伝熱管の内部に水を送水するための水入口及び水出口とで構成されている熱交換器コイルを、空気調和機の冷房運転時、吹き出し口から放出される熱風を捕らえると共に、室外機の日除けの為に、該吹き出し口の前面から室外機の天井面上まで設け、該吹き出し口から放出される熱風の熱，外気の熱及び太陽の放射熱を、該熱交換器コイルの伝熱管内に流す水に熱回収させるようにした。その結果、冷房運転において、吹き出し口から放出される熱風は、水により冷却された熱交換器コイルの伝熱管及びフィンに接蝕することにより、冷却されてから大気中へ放出するので、大気への熱負荷は軽減する。
逆に、吹き出し口前面に傾斜して設けられている、熱交換器コイルの伝熱管の内部の水は、熱風により温まる。温まった水を、温水として貯湯タンク，プール及び浴槽等へ有効利用でき、光熱費の削減になる。また、室外機の天井面上まで熱交換器コイル設けたことにより、日除けをして冷房運転の効率を上げると同時に、太陽の放射熱を吸熱して、水を温めて貯湯タンク，プール及び浴槽等へ有効利用できる。
【００２０】
請求項２にかかる発明においては、前記課題を解決するため、前記課題を解決するため、太陽の放射熱を吸熱する為に、フィンを縦方向に複数枚並設させて、該フィンに蛇行状に貫通縦断している伝熱管と該伝熱管の内部に水を送水するための水入口及び水出口とで構成されている熱交換器コイルを、空気調和機の冷房運転時、吹き出し口から放出される熱風を捕らえると共に、室外機の日除けの為に、該吹き出し口の前面から室外機の天井面上まで設け、該吹き出し口から放出される熱風の熱，外気の熱及び太陽の放射熱を、該熱交換器コイルの伝熱管内に流す水に熱回収させるようにした。その結果、冷房運転において、吹き出し口から放出される熱風は、水により冷却された熱交換器コイルの伝熱管及びフィンに接蝕することにより、冷却されてから大気中へ放出するので、大気への熱負荷は軽減する。
逆に、吹き出し口前面に傾斜して設けられている、熱交換器コイルの伝熱管の内部の水は、熱風により温まる。温まった水を、温水として貯湯タンク及び浴槽等へ有効利用でき、光熱費の削減になる。また、室外機の天井面上まで熱交換器コイル設けたことにより、日除けをして冷房運転の効率を上げると同時に、太陽の放射熱を吸熱して、水を温めて貯湯タンク，プール及び浴槽等へ有効利用できる。
【００２１】
請求項３にかかる発明においては、熱交換器コイルの傾斜角度は、水平面に対して１５度から６０度になる。そして、該熱交換器コイルの設置の方位を南に取り付けることにより年間を通して太陽の放射熱を効果的に捕らえることができるので、熱交換器コイルを設置するだけで、太陽熱利用温水器の効果がある。
【００２２】
また、請求項４及び５にかかる発明においては、請求項１又は２にかかる空気調和機において、前記熱交換器コイルのフィンの形状は、長方形であり、長方形の傾斜角度は、水平面に対して１５度から６０度することにより、熱交換器コイルの傾斜角度も、水平面に対して１５度から６０度になる。
【００２３】
請求項６にかかる発明においては、請求項５にかかる空気調和機において、前記空気調和機運転停止時に、前記熱交換器コイルに外気を送風する為に、前記室外機のファンモーターを単独に駆動する回路を設けたので、熱交換器コイルに、熱い外気を吹きつける。例として、２００７年８月１６日埼玉県熊谷市に於いて、気温４０．９度を記録しましたが、家庭の水道水温は、２６度前後です。室外機のファンモーターを単独に駆動する回路により、室外機吹き出し口前面の熱交換器コイルのフィン及び伝熱管に、熱い外気を吹き付けて、伝熱管内部の水道水を加熱して、貯湯タンク，プール及び浴槽等へ使用すれば、風呂の追い焚きの光熱費の削減及び大気への熱負荷の軽減となる。
【００２４】
また、請求項７にかかる発明においては、請求項６にかかる空気調和機において、前記室外機及び傾斜している前記熱交換器コイルを前記ベース上に設けて、前記吹き出し口から放出される熱風が、漏れずに該熱交換器コイルだけを通過する様に、該室外機，該熱交換器コイル及び該ベースの左右の側面を板で覆って、該吹き出し口から放出される熱風を効果的に捕らえることができる。
【００２５】
また、本願の請求項８にかかる発明においては、請求項７にかかる空気調和機において、前記空気調和機において、プロペラファン又はクロスフローファンの吸気運転により、前記室外機の天井面上に傾斜させて設けた前記熱交換器コイルのフィン及び伝熱管に外気を接触させて通過させて、伝熱管の内部の水温を上昇させて光熱費の削減になり、通過後の冷却した外気を室外熱交換器のフィン及び冷媒配管全面に吹き付けることにより、冷房効率が上がる効果がある。
【００２６】
また、本願の請求項９にかかる発明においては、請求項８にかかる空気調和機において、前記室外機の天井面上に傾斜している前記熱交換器コイルを設けて、前記プロペラファン又は前記クロスフローファンから吸気される外気が、漏れずに室外機の天井面上に傾斜させて設けた熱交換器コイルだけを通過する様に、該室外機及び該熱交換器コイルの左右の側面及び該熱交換器コイルの背面を板で覆って囲み、熱交換器コイルの伝熱管内に流す水に熱回収させて、熱回収後の冷却した外気を、室外機熱交換器のアルミニウムフィン及び冷媒配管の全面に、プロペラファン又はクロスフローファンにより吹き付けることにより、空気調和機の冷房運転時の冷房効率を上げる効果がある。
【００２７】
また、請求項１０にかかる発明においては、請求項９にかかる空気調和機において、前記室外機熱交換器のアルミニウムフィン及び冷媒配管の全面に、風呂の残り湯又は冷めた風呂の残り湯を散水するシャワーを設け、シャワーにより、風呂の残り湯を、室外機熱交換器のフィン及び冷媒配管に散水することにより、暖房効果が上がると共に、フィンの霜取りにも効果がある。また、冷房運転においては、シャワーにより、冷めた風呂の残り湯を室外機熱交換器のフィン及び冷媒配管に散水することにより、冷房効率が上がる効果がある。さらに、シャワーの水入口配管に電磁弁を設けたことにより、遠隔により電磁弁の開閉操作ができ、シャワーによる散水が手軽にできる。
【００２８】
また、請求項１１にかかる発明においては、請求項１０にかかる空気調和機において、前記熱交換器コイル及び前記シャワーに、水又は風呂の残り湯を選択的に流す為に、前記室外機と浴槽の間に往復する配管を設け、該浴槽から室外機へ送水する為の往路配管の先端に、該浴槽にて給水バルブ又は揚水ポンプを設けると共に、該熱交換器コイルから該浴槽へ水又はお湯を戻すための復路配管を、該室外機から該浴槽の間に設けたことにより、風呂の残り湯又は冷めた風呂の残り湯を散水するシャワーを設け、シャワーにより、風呂の残り湯を、室外機熱交換器のフィン及び冷媒配管に散水することにより、暖房効果が上がると共に、フィンの霜取りにも効果がある。また、冷房運転においては、シャワーにより、冷めた風呂の残り湯を室外機熱交換器のフィン及び冷媒配管に散水することにより、冷房効率が上がる効果がある。室外機と浴槽の間に往復する配管を設けたことにより、風呂の残り湯を、有効利用することができる。さらに、室外機熱交換器のフィン及び冷媒配管にシャワーにより散水することにより洗浄効果がある。
【００２９】
また、請求項１２にかかる発明においては、請求項１１にかかる空気調和機において、前記熱交換器の水出口から貯湯タンク及びプールへ給水する為の配管を設けて、温まった水を有効利用して光熱費の削減をする。
【００３０】
また、請求項１３にかかる発明においては、請求項１２にかかる空気調和機において、前記室外機の前面及び該室外機天井面上の熱交換器コイルのフィン及び伝熱管を、黒色にして、太陽の放射熱を効果的に、吸熱することができる。
【図面の簡単な説明】
【００３１】
【図１】空気調和機の構成図
【図２】室外機吹き出し口前面の熱交換器コイルの正面図
【図３】室外機吹き出し口前面の熱交換器コイルの斜視図
【図４】室外機天井面上の熱交換器コイルの正面図
【図５】室外機天井面上の熱交換器コイルの斜視図
【図６】太陽の放射熱を捕らえる熱交換器コイル２台の側面図
【図７】太陽の放射熱を捕らえる熱交換器コイル１台の側面図
【図８】室外機吹き出し口前面及び室外機天井面上の熱交換器コイル２台の右側面図
【図９】室外機吹き出し口前面及び室外機天井面上の熱交換器コイル２台の左側面図
【図１０】室外機吹き出し口前面から室外機天井面上までの熱交換器コイルの右側面図
【図１１】室外機吹き出し口前面から室外機天井面上までの熱交換器コイルの左側面図
【図１２】室外機天井面上に熱交換器コイルを設置した右側面図
【図１３】本発明の空気調和機の室外機のファンモーター単独運転状態を示す断面図
【図１４】本発明の空気調和機の室外機の冷房運転状態を示す断面図
【図１５】室外機吹き出し口前面の熱交換器コイルの右側面に板の取り付け斜視図
【図１６】室外機吹き出し口前面の熱交換器コイルの左側面に板の取り付け斜視図
【図１７】室外機のプロプロペラファンの使用説明図
【図１８】室外機のクロスフローファンの使用説明図
【図１９】室外機天井面上の熱交換器コイルの右側面に板の取り付け斜視図
【図２０】室外機天井面上の熱交換器コイルの左側面に板の取り付け斜視図
【図２１】室外機天井面上の熱交換器コイルの背面に板の取り付け斜視図
【図２２】シャワーにおいて風呂の残り湯の使用説明図
【図２３】シャワーの正面図
【図２４】シャワーの取り付け及び使用図
【図２５】シャワーの使用側面図
【図２６】本発明の室外機天井面上の熱交換器コイルにおいての水の使用図
【図２７】本発明の熱交換器コイル１台の水の使用状態を示す斜視図。
【図２８】本発明の空気調和機の冷暖房運転停止時において水の使用状態を示す斜視図
【図２９】本発明の熱交換器コイル２台の水の使用状態を示す斜視図
【図３０】本発明の斜視図
【発明を実施するための最良の形態】
【００３２】
以下、本発明の実施するための形態を図１〜図２９に基づいて説明する。
【実施例】
【００３３】
図１は、空気調和機の構成図である。図１において、本発明の空気調和機は、従来と同様に室外機１，室内機２，冷媒配管３，信号線４にて構成されている。                  
【００３４】
図２は、室外機吹き出し口前面の熱交換器コイルの正面図である。図２において、熱交換器コイル５は、縦方向に複数枚並設しているフィン６に、蛇行状に貫通縦断している伝熱管７と伝熱管７の内部に水を送水するための水入り口８及び水出口９とで構成されていて、複数枚並設しているフィン６及び蛇行状に貫通縦断している伝熱管７は、室外機の吹き出し口から放出する熱風を通過させながら、熱風を捕らえる。
【００３５】
図３は、室外機吹き出し口前面の熱交換器コイルの斜視図である。図３において、太陽の放射熱を吸熱する為に、フィン６を縦方向に、面積の一番広い面を複数枚対面させて並設させて、長方形のフィン６の面積の一番広い面を蛇行状に伝熱管７が貫通縦断している。また、伝熱管７の内部に水を送水するための水入口８及び水出口９とで構成されている。また、伝熱管１４の材質は、銅，真鍮及びステンレス等である。
【００３６】
図４は、室外機天井面上の熱交換器コイル熱交換器コイルの正面図である。図４において、熱交換器コイル１０は、縦方向に複数枚並設しているフィン１１に、蛇行状に貫通縦断している伝熱管１２と伝熱管１２の内部に水を送水するための水入り口１３及び水出口１４とで構成されている。
【００３７】
図５は、室外機天井面上の熱交換器コイル熱交換器コイルの斜視図である。図５において、太陽の放射熱を吸熱する為に、フィン１１を縦方向に、面積の一番広い面を複数枚対面させて並設させて、長方形のフィン６の面積の一番広い面を蛇行状に伝熱管１２が貫通縦断している。また、伝熱管１２の内部に水を送水するための水入口１３及び水出口１４とで構成されている。また、伝熱管１４の材質は、銅，真鍮及びステンレス等である。
【００３８】
図６は、太陽の放射熱を捕らえる熱交換器コイル２台の側面図である。図６において、熱交換器コイル５が水平のベース１５に対しての傾斜角度Ａは、１５度から６０度であり、室外機天井面１６上の熱交換器コイル１０が水平の室外機天井面１６に対しての傾斜角度Ｅは、１５度から６０度であり、また、熱交換器コイル５及び熱交換器コイル１０を傾斜させたことにより、室外機１への矢印の太陽の放射熱を遮断して日除けをすると同時に、熱交換器コイル５及び１０は、矢印の太陽の放射熱を効果的に、捕らえることを特徴とする請求項１及び３に記載の空調機調和機である。
【００３９】
図７は、太陽の放射熱を捕らえる熱交換器コイル1台の側面図である。図７において、熱交換器コイル５が水平のベース１５に対しての傾斜角度Ａは、１５度から６０度であり、かつ、熱交換器コイル５が水平の室外機天井面１６に対しての傾斜角度Ｅは、１５度から６０度であり、また、熱交換器コイル５を傾斜させたことにより、室外機１への矢印の太陽の放射熱を遮断して日除けをすると同時に、熱交換器コイル５は、矢印の太陽の放射熱を効果的に、捕らえることを特徴とする請求項２及び３に記載の空調機調和機である。
【００４０】
図８は、室外機吹き出し口前面及び室外機天井面上の熱交換器コイル２台の右側面図である。図８において、室外機１の吹き出し口１７前面に熱交換器コイル５を設置する。熱交換器コイル５のフィン６の側面の最長辺２０と対辺の最長辺２１により長方形２２を形成する。長方形２２及び最長辺２０が水平のベース１５に対しての傾斜角度Ａは、１５度から６０度であり、最長辺２１は最長辺２０と平行であり、最短辺２３がベース１５に対しの傾斜角度Ｄは、３０度から７５度であり、最短辺２４は最短辺２３と平行である。また、ベース１５上に室外機１を角度Ｃである垂直に設置して室外機天井面１６上に、熱交換器コイル１０を設置する。熱交換器コイル１０のフィン１１の側面の最長辺２５と対辺最長辺２６により長方形２７を形成する。長方形２７及び最長辺２５が水平の室外機天井面１６に対しての傾斜角度Ｅは、１５度から６０度であり、最長辺２６は最長辺２５と平行であり、室外機前面の吹き出し口側カバー３９が長方形２２及び最長辺２０に対しての角度Ｂは、３０度から７５度である。そして、熱交換器コイル５の下部に水入口８及び上部に水出口９を設け、熱交換器コイル１０の下部に水入口１３及び上部に水出口１４をそれぞれ設けている。さらに、室外機吹き出し口１７前面に対して、長方形２２の最長辺２０のフィン６の厚み側だけが対面していると共に、室外機天井面１６に対して、長方形２７の最長辺２５のフィン１１の厚み側だけが対面する。フィン６の厚みは、約０．１ｍｍから０．５ｍｍ程度である。長方形フィン６の大きさは、最短辺２３，２４，２８及び２９の長さは約２０ｍｍから５０ｍｍ程度で、フィン６の材質は、銅，アルミニウム及びステンレス等である。
【００４１】
図９は、室外機吹き出し口前面及び室外機天井面上の熱交換器コイル２台の左側面図である。図９において、室外機１の吹き出し口１７前面に熱交換器コイル５を設置する。熱交換器コイル５のフィン６の側面の最長辺２０と対辺の最長辺２１により長方形２２を形成する。長方形２２のフィン６の最短辺の２辺の内の一つの最短辺２３、又は長方形２２のフィン６の４つの角の内の一つの角Ｇが最も下に来る様に斜めに立てた状態に支持することにより、長方形２２及び最長辺２０が水平のベース１５に対しての傾斜角度Ａは、１５度から６０度であり、最短辺２３がベース１５に対しての傾斜角度Ｄは、３０度から７５度である。また、水平のベース１５上に室外機１を角度Ｃである垂直に設置して、水平の室外機天井面１６上に熱交換器コイル１０を設置する。熱交換器コイル１０のフィン１１の側面の最長辺２５と対辺の最長辺２６により、長方形２７を形成する。長方形２７及び最長辺２０が水平の室外機天井面１６に対しての傾斜角度Ｅは、１５度から６０度であり、吹き出し口１７前面の熱交換器コイル５のフィン６の側面のフィン６の側面の最長辺２０と対辺の最長辺２１により長方形２２を形成する。長方形２２のフィン６の最短辺の２辺の一の辺の最短辺２３、又は長方形２２のフィン６の４つの角の内の一つの角Ｇが最も下に来る様に斜めに立てた状態に支持して、長方形２２及び最長辺２０が水平のベース１５に対しての傾斜角度Ａは、１５度から６０度であり、室外機前面の吹き出し口側カバー３９が長方形２２及び最長辺２０に対しての角度Ｂは、３０度から７５度である。
【００４２】
図１０は、室外機吹き出し口前面から室外機天井面上までの熱交換器コイルの右側面図である。図１０において、室外機１の吹き出し口１７前面に熱交換器コイル５を設置する。熱交換器コイル５のフィン６の側面の最長辺２０と対辺の最長辺２１により長方形２２を形成する。長方形２２及び最長辺２０が水平のベース１５に対しての傾斜角度Ａは、１５度から６０度であり、最長辺２１は最長辺２０と平行であり、最短辺２３がベース１５に対しの傾斜角度Ｄは、３０度から７５度であり、最短辺２４は最短辺２３と平行である。また、ベース１５上に室外機１を角度Ｃである垂直に設置して室外機天井面１６上に、熱交換器コイル１０を設置して、最長辺２０が水平の室外機天井面１６に対しての傾斜角度Ｅは、１５度から６０度であり、室外機前面の吹き出し口側カバー３９が長方形２２及び最長辺２０に対しての角度Ｂは、３０度から７５度である。そして、熱交換器コイル５の上部に水入口８及び下部に水出口９を設けている。そして、室外機吹き出し口１７前面から室外機天井面１６上に対して、長方形２２の最長辺２０のフィン６の厚み側だけが対面する。尚、フィン６の厚みは、０．１ｍｍから０．５ｍｍ程度であり、長方形フィン６の大きさは、最短辺２３及び２４の長さは約２０ｍｍから５０ｍｍ程度で、フィン６の材質は、銅，アルミニウム及びステンレス等である。
【００４３】
図１１は、室外機吹き出し口前面から室外機天井面上までの熱交換器コイルの左側面図である。図１１において、室外機１の吹き出し口１７前面に熱交換器コイル５を設置する。熱交換器コイル５のフィン６の側面の最長辺２０と対辺の最長辺２１により長方形２２を形成する。長方形２２のフィン６の最短辺の２辺の内の一つの最短辺２３、又は長方形２２のフィン６の４つの角の内の一つの角Ｇが最も下に来る様に斜めに立てた状態に支持することにより、長方形２２及び最長辺２０が水平のベース１５に対しての傾斜角度Ａは、１５度から６０度であり、最短辺２３がベース１５に対しての傾斜角度Ｄは、３０度から７５度である。また、水平のベース１５上に室外機１を角度Ｃである垂直に設置して、最長辺２０が水平の室外機天井面１６に対しての傾斜角度Ｅは、１５度から６０度であり、熱交換器コイル１０を設置する。熱交換器コイル１０のフィン１１の側面の最長辺２５と対辺の最長辺２６により、長方形２７を形成する。長方形２７及び最長辺２０が水平の室外機天井面１６に対しての傾斜角度Ｅは、１５度から６０度であり、室外機前面の吹き出し口側カバー３９が長方形２２及び最長辺２０に対しての角度Ｂは、３０度から７５度である。
【００４４】
図１２は、室外機天井面上に熱交換器コイルを設置した右側面図ある。図１２において、室外機天井面１６上の熱交換器コイル１０のフィン１１の側面の最長辺２５と対辺の最長辺２６により長方形２７を形成する。長方形２７のフィン１１の最短辺の２辺の一の辺の最短辺２８、又は長方形２７のフィン１１の４つの角の内の１つの角Ｇが最も下に来る様に斜めに立てた状態に支持して、熱交換器コイル１０が水平の室外機天井面１６に対しての傾斜角度Ｅは、１５度から６０度である。また、長方形２７及び最長辺２５が室外機天井面１６に対しての傾斜角度Ｅは、１５度から６０度である。
さらに、室外機天井面1６上の熱交換器コイル１０のフィン１１の長方形２７の最短辺２８が水平面３０に対しての傾斜角度Ｆは、３０度から７５度であることを特徴とする請求項４に記載の空調機である。
【００４５】
図１３は、本発明の空気調和機の室外機のファンモーター単独運転状態を示す断面図である。図１３において、例として、２００７年８月１６日埼玉県熊谷市に於いて、気温４０．９度を記録しましたが、家庭の水道水温は、２６度前後です。空気調和機運転停止時に、室外機１のファンモーター１８を単独に駆動する回路により、ファン１９を回転させて、熱い外気を矢印の方向に送風して、吹き出し口１７の前面の熱交換器コイル５のフィン及び伝熱管に熱い外気を吹きつけて、伝熱管内部の水道水を加熱して、例えば、貯湯タンク，プール及び浴槽等へ使用すれば、風呂の追い焚きの光熱費の削減及び大気への熱負荷の軽減となることを特徴とする請求項４に記載の空調機である。
【００４６】
図１４は、本発明の空気調和機の室外機の冷房運転状態を示す断面図である。図１４において、室外機１は、冷房運転に於いてファンモーター１８が駆動して、ファン１９の回転により、外気は矢印の方向へ進む。外気は、室外機１内に吸い込まれ室外機熱交換器４１を通過することにより加熱され、熱風となって吹き出し口１７から、放出される熱風は、水平のベース１５に対して傾斜角度Ａの１５度から６０の熱交換器コイル５で捕らえて、熱交換器コイル５の伝熱管内部にて水を加熱して、温まった水を貯湯タンク，風呂及びプール等へ有効利用して、光熱費の削減及び大気への熱負荷を軽減することを特徴とする請求項１に記載の空調機である。
【００４７】
図１５は、本発明の室外機吹き出し口前面の熱交換器コイルの右側面に板の取り付け斜視図である。図１５において、室外機１及び傾斜している熱交換器コイル５をベース１５の上に設けて、吹き出し口１７から放出される熱風が、漏れずに熱交換器コイル５だけを通過する様に、室外機１，熱交換器コイル５及びベース１５の右の側面を三角形の板３１で覆っていることを特徴とする請求項７に記載の空調機である。
【００４８】
図１６は、本発明の室外機吹き出し口前面の熱交換器コイルの左側面に板の取り付け斜視図である。図１６において、室外機１及び傾斜している熱交換器コイル５をベース１５の上に設けて、吹き出し口１７から放出される熱風が、漏れずに熱交換器コイル５だけを通過する様に、室外機１，熱交換器コイル５及びベース１５の左の側面を三角形の板３１で覆っていることを特徴とする請求項７に記載の空調機である。
【００４９】
図１７は、室外機に取り付けたプロプロペラファンの使用説明図である。図１７において、熱交換器コイル１０下方の室外機天井面１６近傍に吸気する為のプロペラファン３２を取り付け、プロペラファン３２の運転により、熱交換器コイル１０を囲んだ板４０の案内により矢印の方向に外気を吸気させ、室外機天井面１６上に傾斜させて設けた熱交換器コイル１０のフィン及び伝熱管の全面に矢印の熱い外気を接触させて通過させることにより、熱交換器コイル１０のフィン及び伝熱管は加熱して、伝熱管内部の水温は上昇する。逆に、熱い外気は冷却されて、冷却された外気は、プロペラファン３２により、室外機熱交換器４１のフィン及び冷媒配管に吹き付けて、室外機熱交換器４１のフィン及び冷媒配管は冷却されて冷房運転の効率は上がる。そして、熱交換器コイル１０の伝熱管内部の温度上昇した水は、吹き出し口１７前面の熱交換器コイル５の伝熱管へ送水されて、室外機１は、冷房運転に於いてファンモーター１８が駆動して、ファン１９の回転により、外気は矢印の方向へ進む。外気は、室外機１内に吸い込まれ室外機熱交換器４１を通過することにより加熱され、熱風となって吹き出し口１７から、放出する。放出する矢印の熱風を熱交換器コイル５は、捕らえることにより、熱交換器コイル１０の伝熱管内部にて温度上昇した水は、熱交換器コイル５の伝熱管内部にて、更に加熱する。本発明の空気調和機は、水を熱い外気及び吹き出し口１７から放出される熱風の２度により加熱させ、加熱した水を、貯湯タンク，プール及び浴槽等へ有効利用して光熱費の削減をする。さらに、冷却された外気を室外機熱交換器４１のフィン及び冷媒配管に吹き付けて、室外機熱交換器４１のフィン及び冷媒配管は冷却させて冷房運転の効率は上がる。
【００５０】
図１８は、室外機に取り付けたクロスフローファンの使用説明図である。図１８において、熱交換器コイル１０下方の室外機天井面１６近傍に吸気する為のクロスフローファン３３を取り付け、クロスフローファン３３の運転により、熱交換器コイル１０を囲んだ板４０の案内により矢印の方向に外気を吸気させ、室外機天井面１６上に傾斜させて設けた熱交換器コイル１０のフィン及び伝熱管の全面に矢印の熱い外気を接触させて通過させることにより、熱交換器コイル１０のフィン及び伝熱管は加熱して、伝熱管内部の水温は上昇する。逆に、熱い外気は冷却されて、冷却された外気は、クロスフローファン３３により、室外機熱交換器４１のフィン及び冷媒配管に吹き付けて、室外機熱交換器４１のフィン及び冷媒配管は冷却されて冷房運転の効率は上がる。そして、熱交換器コイル１０の伝熱管内部の温度上昇した水は、吹き出し口１７前面の熱交換器コイル５の伝熱管へ送水されて、室外機１は、冷房運転に於いてファンモーター１８が駆動して、ファン１９の回転により、外気は矢印の方向へ進む。外気は、室外機１内に吸い込まれ室外機熱交換器４１を通過することにより加熱され、熱風となって吹き出し口１７から、放出する。放出する矢印の熱風を熱交換器コイル５は、捕らえることにより、熱交換器コイル１０の伝熱管内部にて温度上昇した水は、熱交換器コイル５の伝熱管内部にて、更に加熱する。本発明の空気調和機は、水を熱い外気及び吹き出し口１７から放出される熱風の２度により加熱させ、加熱した水を、貯湯タンク，プール及び浴槽等へ有効利用して光熱費の削減をする。さらに、冷却された外気を室外機熱交換器４１のフィン及び冷媒配管に吹き付けて、室外機熱交換器４１のフィン及び冷媒配管は冷却させて冷房運転の効率は上がる。
【００５１】
図１９は、本発明の室外機天井面上に熱交換器コイル板の取り付け右側面図である。図１９において、室外機１及び傾斜している熱交換器コイル１０を室外機天井面１６上に設けて、クロスフローファン３３の運転により吸気される外気が、漏れずに熱交換器コイル１０だけを通過する様に、室外機１の側面，熱交換器コイル１０及クロスフローファン３３の左側面を板４０で覆っている特徴とする請求項９に記載の空調機である。
【００５２】
図２０は、本発明の室外機天井面上に熱交換器コイルの板の取り付け左側面図である。図２０において、室外機１及び傾斜している熱交換器コイル１０を室外機天井面１６上に設けて、クロスフローファン３３の運転により吸気される外気が、漏れずに熱交換器コイル１０だけを通過する様に、室外機１の側面，熱交換器コイル１０及クロスフローファン３３の左側面を板４０で覆っていることを特徴とする請求項９に記載の空調機である。
【００５３】
図２１は、本発明の室外機天井面上に熱交換器コイルの板の取り付け背面図である。図２０において、室外機１及び傾斜している熱交換器コイル１０を室外機天井面１６上に設けて、クロスフローファン３３の運転により吸気される外気が、漏れずに熱交換器コイル１０だけを通過する様に、熱交換器コイル１０背面及クロスフローファン３３を板４０で覆っていることを特徴とする請求項９に記載の空調機である。
【００５４】
図２２は、シャワーにおいて風呂の残り湯の使用説明図。図２２において、暖房運転時には、浴槽４６の風呂の残り湯を揚水ポンプ４７にて汲み上げて、往路配管３８を通り、シャワー３４の水入口配管３６の手前に設けられている電磁弁３７を遠隔操作により開くことにより、シャワー３４により、室外機熱交換器４１のアルミニウムフィン４２及び冷媒配管４３に風呂の残り湯を散水して、加熱して暖房効率を上げて、光熱費の削減及びフィンの霜取りにも効果がある。また、浴槽４６の冷めた風呂の残り湯を、揚水ポンプ４７にて汲み上げて、往路配管３８を通り、遠隔操作により電磁弁３７を開くことにより、シャワー３４により、室外機熱交換器４１のアルミニウムフィン４２及び冷媒配管４３に散水して、アルミニウムフィン４２及び冷媒配管４３を冷却して冷房効率を上げて、光熱費の削減をする。
【００５５】
図２３は、シャワー正面図である。図２３において、シャワー３４は、縦横に複数の穴３５があいていて、室外機の熱交換器のアルミニウムフィン及び冷媒配管全面に散水できる構造になっていることを特徴とする請求項１０に記載の空調機である。
【００５６】
図２４は、シャワーの取り付け及び使用図である。図２４において、シャワー３４は、室外機熱交換器４１のアルミニウムフィン４２の最上部に横設して室外機天井面１６と平行に横設けて、直方体のシャワー３４に穴３５がアルミニウムフィン４２に対面して設けている。また、シャワー３４の水入口配管３６の手前に電磁弁３７が設けられている。そして、冷房運転時において、アルミニウムフィン４２及び冷媒配管４３に、冷めた風呂の残り湯を矢印の方向に、散水することによりアルミニウムフィン４２及び冷媒配管４３を冷却して、冷房効率をあげる。また、暖房運転時においては、風呂の残り湯を矢印の方向に散水することによりアルミニウムフィン４２及び冷媒配管４３を加熱して、暖房効率を上げると共に、アルミニウムフィン４２及び冷媒配管４３に付着した霜取り及び洗浄の効果があることを特徴とする請求項１０及び１１に記載の空調機である。
【００５７】
図２５は、シャワーの使用側面図である。図２５において、風呂の冷めた残り湯をシャワー３４により矢印の方向に、室外機熱交換器４１のアルミニウムフィン及び冷媒配管の全面に散水することにより、室外機熱交換器４１のアルミニウムフィン及び冷媒配管を冷却して冷房効率を上げると共に、アルミニウムフィン及び冷媒配管に付着したほこり等を洗浄する効果がある。また、風呂の残り湯をシャワー３４により矢印の方向に、室外機熱交換器４１のアルミニウムフィン及び冷媒配管を加熱して暖房効率を上げると共に、アルミニウムフィン及び冷媒配管に付着した霜取り及びほこり等を洗浄する効果がある。
【００５８】
図２６は、本発明の室外機天井面上の熱交換器コイルにおいての水の使用図である。図２６において、本発明の室外機天井面上だけに単体で熱交換器コイル１０を設置した際の冷房運転において、水は往路配管３８を通り、室外機１の天面上の熱交換器コイル１０の水入口１３から伝熱管１２へ水道水を送水することにより、伝熱管１２及びフィン１１を冷却します。そして、クロスフローファン３３又はプロペラファンの吸気運転により、室外機１の天井面上の熱交換器コイル１０のフィン１１及び伝熱管１２は、熱い外気と接触して伝熱管内部の水温は、上昇する、さらに、室外機１の天面上の熱交換器コイル１０を通過して熱回収後の冷却された外気は、室外機熱交換器４１のフィン及び冷媒配管にクロスフローファン３３又はプロペラファンにより吹き付けることにより、室外機熱交換器４１のフィン及び冷媒配管は冷却されて冷房運転効率は上がることを特徴とする請求項８に記載の空調機である。
逆に、熱交換器コイル１０の伝熱管１２内部の水の水温は上昇して、温水として水出口１４から復路配管４５を通って、貯湯タンク，プール及び浴槽等に利用して、温水温度上昇をより効率化でき光熱費の削減になることを特徴とする請求項１２に記載の空調機である。
【００５９】
図２７は、本発明の熱交換器コイル１台の水の使用状態を示す斜視図である。図２７において、冷房運転時には、給水バルブ４４を開くと水は往路配管３８を通り、室外機１の天面上の熱交換器コイル５の水入口８から伝熱管７へ水を送水する。そして、クロスフローファン３３又はプロプロペラファンの吸気運転により、室外機１の天面上の熱交換器コイル５のフィン及び伝熱管は、熱い外気と接触して伝熱管内部の水温は、上昇する、逆に室外機１の天面上の熱交換器コイル５を通過いた熱回収後の冷却された外気は、クロスフローファン３３又はプロペラファンにより、室外熱交換器４１の冷媒配管及びフィンに吹き付けることにより、室外機熱交換器４１のフィン及び冷媒配管は冷却されて冷房運転効率は上がる。さらに、熱交換器コイル５のフィン６及び伝熱管７は、吹き出し口１７から放出する熱風を捕らえて冷却してから、大気へ放出するので大気への熱負荷を軽減する。
逆に、熱交換器コイル５の伝熱管７内部の水道水の水温は上昇して、温水として水出口９から復路配管４５を通って、貯湯タンク４８，プール及び浴槽４６等に利用して、光熱費の削減になることを特徴とする請求項２に記載の空調機である。
【００６０】
図２８は、本発明の空気調和機の冷暖房運転停止時において水の使用状態を示す斜視図である。図２８において、空気調和機の冷暖房運転停止時において、室外機１の天面上の熱交換器コイル１０の水入口１３から伝熱管１２へ水を送水することにより、クロスフローファン３３又はプロペラファンの吸気運転により、室外機１の天面上の熱交換器コイル５のフィン及び伝熱管は、熱い外気と接触して伝熱管内部の水温は、上昇する。
さらに、室外機１の天面上の熱交換器コイル１０の水出口１４から外気により加熱された水は、配管４９を通って、吹き出し口１７前面の熱交換器コイル５の水入口８へ送水されてフィン６及び伝熱管７内部の水は、太陽の放射熱を捕らえて、温水として水出口９から復路配管４５を通って、貯湯タンク，プール及び浴槽等に利用して、光熱費の削減になることを特徴とする請求項１に記載の空調機である。
【００６１】
図２９は、本発明の熱交換器コイル２台の水の使用状態を示す斜視図である。図２９において、冷房運転時には、給水バルブ４４を開くと水は往路配管３８を通り、室外機１の天面上の熱交換器コイル１０の水入口１３から伝熱管１２へ水を送水する。そして、クロスフローファン３３又はプロペラファンの吸気運転により、室外機１の天面上の熱交換器コイル１０のフィン１１及び伝熱管１２は、熱い外気と接触して伝熱管内部の水温は、加熱されて上昇する、逆に室外機１の天面上の熱交換器コイル５を通過後の外気は冷却され室外機熱交換器４１のフィン及び冷媒配管にクロスフローファン３３又はプロペラファンにより吹き付けることにより、室外機熱交換器４１のフィン及び冷媒配管は冷却されて冷房運転効率は上がる。
さらに、室外機１の天面上の熱交換器コイル１０の水出口１４から外気により加熱された水は、配管４９を通って、吹き出し口１７前面の熱交換器コイル５の水入口８へ送水されてフィン６及び伝熱管７内部の水は、吹き出し口１７から放出する熱風を捕らえて熱風を冷却してから、大気へ放出するので大気への熱負荷を軽減する。
逆に、熱交換器コイル５の伝熱管７内部の水温は熱風により、更に上昇して、温水として水出口９から復路配管４５を通って、貯湯タンク，プール及び浴槽４６等に利用して、光熱費の削減になることを特徴とする請求項１に記載の空調調和機である。
【００６２】
図３０は、本発明の斜視図である。図３０において、空気調和機の冷房運転時において、室外機１の天面上の熱交換器コイル１０の水入口１３から伝熱管１２へ水を送水すると共に、クロスフローファン３３の運転により、熱交換器コイル１０を囲んだ板４０の案内により外気を吸気させ、室外機天井面１６上に傾斜させて設けた熱交換器コイル１０のフィン及び伝熱管の全面に熱い外気を接触させて通過させることにより、熱交換器コイル１０のフィン１１及び伝熱管１２は加熱して、伝熱管１２内部の水温は上昇する。逆に、熱い外気は冷却されて、冷却された外気は、クロスフローファン３３により、室外機熱交換器４１のフィン及び冷媒配管全面に吹き付けて、室外機熱交換器４１のフィン及び冷媒配管は冷却されて冷房運転の効率は上がる。そして、熱交換器コイル１０の伝熱管１２内部の温度上昇した水は、吹き出し口１７前面の熱交換器コイル５の水入口８へ送水されて、室外機１は、冷房運転に於いて室外機１のファンモーターが駆動して、ファンの回転により、外気は、室外機１内に吸い込まれ室外機熱交換器４１を通過することにより加熱され、熱風となって吹き出し口１７から、放出する。放出する熱風を熱交換器コイル５のフィン６及び伝熱管７は、捕らえることにより、熱交換器コイル１０の伝熱管７内部にて温度上昇した水は、熱交換器コイル５の伝熱管７内部にて、更に加熱して温度上昇する。本発明の空気調和機は、水を熱い外気及び吹き出し口１７から放出される熱風の２度により加熱させて、水温を上昇させた水を、貯湯タンク，プール及び浴槽等へ有効利用して光熱費の削減をすると共に、冷却された外気を室外機熱交換器４１のフィン及び冷媒配管全面に吹き付けて、室外機熱交換器４１のフィン及び冷媒配管は冷却させて冷房運転の効率は上がる。
さらに、風呂の冷めた残り湯をシャワー３４により室外機熱交換器４１のアルミニウムフィン及び冷媒配管の全面に散水することにより、室外機熱交換器４１のアルミニウムフィン及び冷媒配管を冷却して冷房効率を上げると共に、アルミニウムフィン及び冷媒配管に付着したほこり等を洗浄する効果がある。また、風呂の残り湯をシャワー３４により、室外機熱交換器４１のアルミニウムフィン及び冷媒配管へ散水することにより、室外機熱交換器４１のアルミニウムフィン及び冷媒配管を加熱して暖房効率を上げると共に、アルミニウムフィン及び冷媒配管に付着した霜取り及びほこり等を洗浄する効果がある。
【符号の説明】
【００６３】
１  室外機
２  室内機                                                                                                            
３  冷媒配管
４  信号線                                                                          
５  熱交換器コイル  
６  フィン
７  伝熱管
８  水入口
９  水出口
１０  室外機天井面上の熱交換器コイル  
１１  室外機天井面上の熱交換器コイルフィン
１２  室外機天井面上の熱交換器コイル伝熱管
１３  室外機天井面上の熱交換器コイル水入口
１４  室外機天井面上の熱交換器コイル水出口
１５  水平のベース
１６  室外機天井面
１７  吹き出し口
１８  ファンモーター
１９  ファン
２０  最長辺
２１  最長辺
２２  長方形
２３  最短辺
２４  最短辺
２５  最長辺
２６  最長辺
２７  長方形
２８  最短辺
２９  最短辺
３０  水平面
３１  板
３２  プロペラファン
３３  クロスフローファン
３４  シャワー
３５  穴
３６  入り口配管
３７  電磁弁
３８  往路配管
３９  室外機前面の吹き出し口側のカバー
４０  板
４１  室外機熱交換器
４２  アルミニウムフィン  
４３  冷媒配管
４４  給水バルブ
４５  復路配管
４６  浴槽
４７  揚水ポンプ
４８  貯湯タンク
４９  配管
Ａ  水平のベースが熱交換器コイル又は長方形フィンの最長辺に対する角度
Ｂ  室外機前面の吹き出し口側カバーが熱交換器コイルの長方形のフィンの最長辺に対する角度
Ｃ  水平のベース面上に室外機を設置する角度
Ｄ  水平のベース面が長方形フィンの最短辺に対する角度
Ｅ  水平の室外機天井面が長方形フィンの最長辺に対する角度
Ｆ  水平面が室外機天井面上の熱交換器コイルの長方形フィンの最短辺に対する角度
Ｇ  熱交換器コイルの長方形のフィンの４つの角の内の一つの角が最も下に来る角
【図１】
0005567367.tif 000002
【図２】
0005567367.tif 000003
【図３】
0005567367.tif 000004
【図４】
0005567367.tif 000005
【図５】
0005567367.tif 000006
【図６】
0005567367.tif 000007
【図７】
0005567367.tif 000008
【図８】
0005567367.tif 000009
【図９】
0005567367.tif 000010
【図１０】
0005567367.tif 000011
【図１１】
0005567367.tif 000012
【図１２】
0005567367.tif 000013
【図１３】
0005567367.tif 000014
【図１４】
0005567367.tif 000015
【図１５】
0005567367.tif 000016
【図１６】
0005567367.tif 000017
【図１７】
0005567367.tif 000018
【図１８】
0005567367.tif 000019
【図１９】
0005567367.tif 000020
【図２０】
0005567367.tif 000021
【図２１】
0005567367.tif 000022
【図２２】
0005567367.tif 000023
【図２３】
0005567367.tif 000024
【図２４】
0005567367.tif 000025
【図２５】
0005567367.tif 000026
【図２６】
0005567367.tif 000027
【図２７】
0005567367.tif 000028
【図２８】
0005567367.tif 000029
【図２９】
0005567367.tif 000030
【図３０】
0005567367.tif 000031